(57)【特許請求の範囲】
【請求項１】
空気を供給する空気供給装置と、
前記空気供給装置から空気の供給を受けて洗濯物を処理し、外周面に空気を前記空気供給装置に回収させるための空気回収口が形成されるタブと、
前記空気回収口の内部形状に対応し、前記空気が流動するための空間が形成されるフィルタフレーム、及び、前記フィルタフレームの前記空間に設けられてリントをフィルタリングするフィルタを備えるリントフィルタと、
前記空気回収口の内側から前記タブの内側に洗浄水を噴射すると同時に前記リントフィルタの上側から洗浄水を噴射して、前記リントを前記リントフィルタと分離するフィルタ洗浄部とを備え、
前記フィルタ洗浄部は、
洗浄水が供給される洗浄水ラインと、
前記洗浄水ラインから供給される洗浄水を噴射する分配ノズル部とを備え、
前記分配ノズル部は、
前記空気回収口の内側面に着脱可能に締結され、洗浄水ラインが連結される締結部と、
前記締結部に結合され、前記フィルタの上側から前記空気回収口の内側に延びる延長部と、
前記延長部から分岐して、前記リントフィルタの接線方向に洗浄水を噴射する複数のノズルを含むノズル部とを備えることを特徴とする衣類処理装置。
【請求項２】
前記空気供給装置は、前記タブの上部に位置し、前記タブの前方に空気を供給し、前記空気回収口を介して空気を循環させる、請求項１に記載の衣類処理装置。
【請求項３】
前記空気供給装置は、
前記空気回収口の上部に位置し、空気を移動させる送風ファンと、
前記送風ファンによって移動される空気を加熱する加熱ダクトと、
前記加熱ダクトで加熱された空気をタブの前方に供給する空気吐出口とを備える、請求項２に記載の衣類処理装置。
【請求項４】
前記タブは、前記空気に含まれた水分が凝縮する凝縮面として用いられる前記タブの内周面を備える、請求項２に記載の衣類処理装置。
【請求項５】
前記フィルタ洗浄部から噴射される洗浄水は、前記タブの凝縮面を冷却させるための冷却水として用いられる、請求項４に記載の衣類処理装置。
【請求項６】
前記延長部は、前記空気回収口の幅が最も広くなる位置まで延び、前記ノズル部は、前記延長部の端部から前記空気回収口の幅方向に延びる第１ノズル部及び第２ノズル部を備える、請求項１に記載の衣類処理装置。
【請求項７】
前記延長部の端部に垂直方向に回転可能に結合され、前記リントフィルタ側に屈折した屈折部と、前記屈折部に水平方向に回転可能に結合され、前記洗浄水を分岐供給するように第１ノズル部及び第２ノズル部が結合される回動分配部とを備える、請求項６に記載の衣類処理装置。
【請求項８】
前記ノズル部は、前記延長部の端部から前記空気回収口の内周面の曲面に沿って屈曲して延びる一対のノズル部を備える、請求項１に記載の衣類処理装置。
【請求項９】
前記一対のノズル部は、前記リントフィルタの傾斜に沿って斜めに延びる、請求項８に記載の衣類処理装置。
【請求項１０】
前記ノズル部は、前記延長部の端部から前記延長部の直角方向に延びる一対のノズル部を備える、請求項１に記載の衣類処理装置。
【請求項１１】
前記一対のノズル部は、前記リントフィルタの幅方向に拡張するように斜めに洗浄水を噴射する多数のノズルを備える、請求項１０に記載の衣類処理装置。
【請求項１２】
前記フィルタフレームは、前記フィルタ洗浄部から噴射される洗浄水のタブ内への流入を防止するように、前記フィルタの一部を遮蔽する反射板をさらに備える、請求項１に記載の衣類処理装置。
【請求項１３】
前記フィルタフレームは、前記フィルタの曲面傾斜に沿って延びる一つ以上のガイドリブをさらに含む、請求項１に記載の衣類処理装置。
【請求項１４】
前記フィルタ洗浄部は、前記空気回収口の一側面に位置し、前記空気回収口を貫通して形成される、請求項１に記載の衣類処理装置。
【発明の詳細な説明】
【技術分野】
【０００１】
本発明は、衣類処理装置に係り、より詳細には、洗濯物の乾燥時に発生するリント(糸くず）をフィルタリングするために設けられるリントフィルタを清掃できるようにした衣類処理装置に関する。
【背景技術】
【０００２】
一般に、衣類処理装置は、洗濯装置、乾燥兼用洗濯装置などを例に挙げることができる。ここで、洗濯装置は、乳化作用、パルセーターまたはドラムの回転による水流の摩擦作用及び洗濯物に加える衝撃作用などを用いて、衣服及び寝具などに付着した各種汚染物質を除去する製品である。最近登場した全自動洗濯装置は、使用者の操作介入なしに洗いコース、すすぎコース、脱水コースなどにつながる一連の行程を自動に進行する。
【０００３】
また、乾燥兼用洗濯装置は、上述した洗濯装置の機能を行うと同時に、洗濯物を洗濯後に乾燥することができる洗濯機の一種である。このような乾燥兼用洗濯装置は、タブ内部の空気を引き出して凝縮用水によって空気中の水分を除去した後、加熱させて、再びタブに投入する凝縮式洗濯乾燥機がある。
【０００４】
以下、図１を参照して、従来技術に係る凝縮式乾燥兼用洗濯装置を簡略に説明する。図示のように、乾燥兼用洗濯装置１０は、内部に収容空間を形成するキャビネット１１と、キャビネット１１の内部に収容されるタブ１２と、タブ１２の内部に回転可能に設置されるドラム１３と、タブ１２から生成された湿気を含有した空気が凝縮できるようにタブ１２の外部に形成される凝縮ダクト１４と、空気の流動方向に沿って凝縮ダクト１４の下流側に連結されて、ヒーター１６により空気を加熱してタブ１２の内部に提供する加熱ダクト１５と、タブ１２の空気が凝縮ダクト１４及び加熱ダクト１５に沿って循環するようにする送風ファン１７とを備えている。
【０００５】
上述したような乾燥兼用洗濯装置１０は、洗濯物の乾燥時に、送風ファン１７によって移動する空気が加熱ダクト１５に設けられたヒーター１６により加熱され、加熱空気は、タブ１２の内側に供給されて、ドラム１３の回転及び熱風により洗濯物を乾燥させる。
【０００６】
その後、洗濯物を乾燥させた加熱空気は、洗濯物の乾燥によって湿った空気に変換され、タブ１２から凝縮ダクト１４に流入して、凝縮ダクト１４で湿気が除去される。ここで、凝縮ダクト１４には、湿った空気を凝縮させるために別途の冷却水が供給される。一方、凝縮ダクト１４に流入した空気は送風ファン１７によって再び加熱ダクト１５に供給され、上述した過程を繰り返して空気が循環するように設けられる。
【０００７】
このような過程において、凝縮ダクトに流入する湿った空気中の水分を凝縮するためには、洗濯物の乾燥が進行する過程中に持続的に冷却水を大量に供給しなければならず、冷却水が浪費されるという問題がある。
【０００８】
また、洗濯物の乾燥時に洗濯物に含まれていたリントが空気と共に凝縮ダクト１４を介して流入し、凝縮ダクト１４、送風ファン１７、加熱ダクト１５などに残留し得る。そのため、凝縮ダクト１４に残留したリントは凝縮ダクトの効率を減少させ、送風ファン１７に残留したリントは送風機の故障を誘発し、加熱ダクト１５に残留したリントは加熱ダクト１５に設けられたヒーター１６の故障又は火災を誘発し得るという問題がある。
【発明の概要】
【発明が解決しようとする課題】
【０００９】
本発明は、上述したような問題点を解決するために案出されたもので、洗濯物を乾燥させた熱風の湿気を除去するための凝縮構造を改善して凝縮効率を向上させることができるようにした衣類処理装置を提供することにその目的がある。
【００１０】
また、本発明は、上述したような問題点を解決するために案出されたもので、熱風に含まれたリントをフィルタリングするリントフィルタを備える衣類処理装置を提供することにその目的がある。
【００１１】
本発明は、上述したような問題点を解決するために案出されたもので、洗濯物を乾燥させた熱風の湿気を除去するための凝縮構造を改善して凝縮効率を向上させることができるようにした衣類処理装置を提供することにその目的がある。
【００１２】
また、本発明は、上述したような問題点を解決するために案出されたもので、熱風に含まれたリントをフィルタリングするリントフィルタのメンテナンス構造を改善した衣類処理装置を提供することにその目的がある。
【課題を解決するための手段】
【００１３】
上記目的を達成するための本発明の一実施例に係る衣類処理装置は、空気を供給する空気供給装置と、前記空気供給装置から空気の供給を受けて洗濯物を処理し、外周面に前記空気を前記空気供給装置に回収させるための空気回収口が形成されるタブと、前記空気回収口の内側に前記タブの内周面に沿って延びて前記空気に含まれたリントをフィルタリングするリントフィルタと、前記空気回収口の内側から前記タブの内側に洗浄水を噴射すると同時に前記リントフィルタの上側から洗浄水を噴射して、前記リントを前記リントフィルタと分離するフィルタ洗浄部とを備えることが好ましい。
【００１４】
前記空気供給装置は、前記タブの上部に位置し、前記タブの前方に空気を供給し、前記空気回収口を介して前記空気を循環させることが好ましい。
【００１５】
前記空気供給装置は、前記空気回収口の上部に位置し、空気を移動させる送風ファンと、前記送風ファンによって移動される空気を加熱する加熱ダクトと、前記加熱ダクトで加熱された空気をタブの前方に供給する空気吐出口とを備えることが好ましい。
【００１６】
前記タブは、前記タブの内周面は、前記空気に含まれた水分が凝縮する凝縮面として用いられることが好ましい。
【００１７】
前記フィルタ洗浄部から噴射される洗浄水は、前記タブの凝縮面を冷却させるための冷却水として用いられることが好ましい。
【００１８】
前記フィルタ洗浄部は、洗浄水が供給される洗浄水ラインと、前記洗浄水ラインから供給される洗浄水を噴射する分配ノズル部とを備えることが好ましい。
【００１９】
前記分配ノズル部は、前記空気回収口に着脱可能に締結され、洗浄水ラインが連結される締結部と、前記締結部に結合され、前記空気回収口の内側に延びる延長部と、前記延長部から分岐して、前記リントフィルタに洗浄水を噴射するノズル部とを備えることが好ましい。
【００２０】
前記延長部は、前記空気回収口の幅が最も広くなる位置まで延び、前記ノズル部は、前記延長部の端部から前記空気回収口の幅方向に延びる第１ノズル部及び第２ノズル部を備えることが好ましい。
【００２１】
前記延長部の端部に垂直方向に回転可能に結合され、前記リントフィルタ側に屈折した屈折部と、前記屈折部に水平方向に回転可能に結合され、前記洗浄水を分岐供給するように第１ノズル部及び第２ノズル部が結合される回動分配部とを備えることが好ましい。
【００２２】
前記第１ノズル部及び第２ノズル部は、前記リントフィルタの接線方向に洗浄水を噴射する多数のノズルを備えることが好ましい。
【００２３】
前記延長部は、前記空気回収口の他側に延び、前記ノズル部は、前記延長部の端部から前記空気回収口の内周面の曲面に沿って屈曲して延びる一対のノズル部を備えることが好ましい。
【００２４】
前記一対のノズル部は、前記リントフィルタの傾斜に沿って斜めに延びることが好ましい。
【００２５】
前記一対のノズル部は、前記リントフィルタの接線方向に洗浄水を噴射する多数のノズルを備えることが好ましい。
【００２６】
前記延長部は、前記空気回収口の他側に延び、前記ノズル部は、前記延長部の端部から前記延長部の直角方向に延びる一対のノズル部を備えることが好ましい。
【００２７】
前記一対のノズル部は、前記リントフィルタの接線方向に洗浄水を噴射する多数のノズルを備えることが好ましい。
【００２８】
前記一対のノズル部は、前記リントフィルタの幅方向に拡張するように斜めに洗浄水を噴射する多数のノズルを備えることが好ましい。
【００２９】
前記リントフィルタは、前記空気回収口の内部形状に対応し、前記空気が流動するための空間が形成されるフィルタフレームと、前記フィルタフレームの前記空間に設けられてリントをフィルタリングするフィルタとを備えることが好ましい。
【００３０】
前記フィルタフレームは、前記フィルタ洗浄部から噴射される洗浄水のタブ内への流入を防止するように、前記フィルタの一部を遮蔽する反射板がさらに備えられることが好ましい。
【００３１】
前記フィルタフレームは、前記フィルタの曲面傾斜に沿って延びる一つ以上のガイドリブをさらに形成することが好ましい。
【００３２】
前記フィルタ洗浄部は、前記空気回収口の一側面に位置し、前記空気回収口を貫通して形成されることが好ましい。
【発明の効果】
【００３３】
本発明に係る衣類処理装置によれば、洗濯物を乾燥させた熱風の湿気を除去するためにタブの内面を凝縮面として形成することによって、既存の凝縮ダクトを用いた凝縮構造よりも凝縮面が広くなるので、凝縮効率を向上させることができ、凝縮のための冷却水が浪費されることを防止することができる。
【００３４】
また、本発明は、洗濯物を乾燥させた後に循環する空気に含まれたリントをフィルタリングするリントフィルタを備えることによって、リントによる衣類処理装置の故障などを防止することができる。
【００３５】
また、洗濯物を乾燥させた後に循環する空気に含まれたリントをフィルタリングするリントフィルタのメンテナンスのためのフィルタ清掃構造を提供することによって、リントフィルタを容易に清掃することができる。
【００３６】
また、リントフィルタからリントを除去するためにフィルタに噴射される洗浄水がタブの内周面に沿って流れるようになることで、タブの冷却効果をもたらすので、タブの内面を用いた凝縮効率を向上させることができる。
【図面の簡単な説明】
【００３７】
【図１】従来技術に係る凝縮式乾燥兼用洗濯装置を示す斜視図である。
【図２】本発明に係る衣類処理装置の内部構造を示す簡略図である。
【図３】本発明に係る衣類処理装置の主要部を示す斜視図である。
【図４】本発明に係る空気回収口及びフィルタ洗浄部の第１実施例を示す側断面図である。
【図５】本発明に係る空気回収口及びフィルタ洗浄部の第１実施例を示す平面図である。
【図６Ａ】本発明に係る図５の主要部を示す断面図である。
【図６Ｂ】本発明に係る図５の主要部を示す断面図である。
【図７】本発明に係る空気回収口及びフィルタ洗浄部の第２実施例を示す側断面図である。
【図８】本発明に係る空気回収口及びフィルタ洗浄部の第２実施例を示す平面図である。
【図９】本発明に係る空気回収口及びフィルタ洗浄部の第３実施例を示す側断面図である。
【図１０】本発明に係る空気回収口及びフィルタ洗浄部の第３実施例を示す平面図である。
【図１１】本発明に係る空気回収口のリントフィルタの他の実施例を示す断面斜視図である。
【発明を実施するための形態】
【００３８】
本発明を説明するにおいて、定義される各構成要素の名称は本発明での機能を考慮して定義されたものである。従って、本発明の技術的構成要素を限定する意味として理解されてはならない。また、各構成要素に定義されたそれぞれの名称は当業界において他の名称として呼ばれることもある。
【００３９】
本発明に関する理解を助けるために詳細な説明の一部として含まれる添付の図面は、本発明の実施例を提供し、詳細な説明と共に本発明の技術的思想を説明する。以下、添付の図面を参照して、本発明の一実施例に係る衣類処理装置を詳細に説明する。
【００４０】
図２は、本発明に係る衣類処理装置の内部構造を示す簡略図であり、図３は、本発明に係る衣類処理装置の主要部を示す斜視図である。
【００４１】
図２及び図３に示すように、本発明に係る衣類処理装置は、外形を形成するキャビネット１１０と、キャビネット１１０の内部に設けられ、洗濯水が貯蔵されるタブ１２０と、タブ１２０の内側に軸方向に回転可能に設けられるドラム１４０と、ドラム１４０に回転力を付与して、ドラム１４０内に投入された洗濯物１を洗い、すすぎ、脱水させる駆動モータ１３０と、タブ１２０に熱風を供給して洗濯物１の乾燥を行う空気供給装置１５０と、各構成部を制御して衣類処理装置１００を作動させる制御部（図示せず）と、制御部と連係して各構成部を制御するための操作パネル１１１とを含む。
【００４２】
前記キャビネット１１０は、本実施例に係る衣類処理装置１００の外形を形成し、後述する各種構成要素が内側及び外側に装着される。このようなキャビネット１１０の前方側には洗濯物１を投入するためのドア１１２が回動可能に備えられる。
【００４３】
また、キャビネット１１０の内側上部には、外部の水源からタブ１２０の内部に水を供給できるように給水ホースと、給水ホース上に設置されて水の出入りを制御する給水バルブと、給水ホースを介して供給される水が洗剤と共にタブ１２０の内部に投入されるように、洗剤が投入される洗剤供給装置１１４とからなる給水部１１３が設けられる。
【００４４】
そして、キャビネット１１０の内側下部には、洗い及びすすぎなどに用いられた洗濯水を外部に排出できるように、排水ホースと排水ポンプからなる排水部１１５が設けられる。
【００４５】
前記タブ１２０は、キャビネット１１０の内側に洗濯水を収容するように設けられ、ドア１１２に投入される洗濯物１を収容するように、ドア１１２側に開放された函体状に形成される。
【００４６】
ここで、タブ１２０の前面には、洗濯物１を投入するための開口部が形成される。開口部の外側には、タブ１２０の重量を増加させて振動を防止するウェイト１２５が付着される。そして、開口部の内周面には、タブ１２０の前方に突出するリム部１２２が形成される。リム部１２２には、後述する空気供給装置１５０の空気吐出口１５６が連結される。一方、タブ１２０の外周面には、後述する空気供給装置１５０の空気回収口１５１が形成される。
【００４７】
また、タブ１２０の後面には、ドラム１４０を回転させる駆動モータ１３０が装着される。このような駆動モータ１３０は、制御部の制御によって駆動モータ１３０の回転速度が制御される。このような駆動モータ１３０の構造、種類については当業者に広く知られており、様々な実施例が可能であるので、具体的な説明は省略する。
【００４８】
ここで、本願発明に係る衣類処理装置１００の場合、タブ１２０の内周面を凝縮面１２６として利用して凝縮水を形成するように構成される。したがって、従来技術における洗濯物１を乾燥させた湿った空気の湿気を凝縮するための凝縮ダクトの構造が省略される。このような凝縮ダクトの省略による凝縮水の生成過程は、空気供給装置１５０の説明及び衣類処理装置１００の作動の説明で詳細に述べる。
【００４９】
一方、タブ１２０は、上部のスプリング１２７及び下部のダンパー１２８により弾力的に支持される。そのため、駆動モータ１３０によるドラム１４０の回転時に発生する振動がタブ１２０を通じてキャビネット１１０に伝達されるとき、スプリング１２７とダンパー１２８により緩衝及び減衰されることにより、ドラム１４０の回転による振動がキャビネット１１０に伝達されることを減少させる。
【００５０】
前記ドラム１４０はタブ１２０の内側に回転可能に設けられ、ドラム１４０の内側には、ドア１１２を通じて洗濯物１が投入されて積載される。このようなドラム１４０には、洗濯水が通過する多数の脱水孔１４１が形成され、ドラム１４０の内側には、ドラム１４０が回転する時に、ドラム１４０に積載された洗濯物１を持ち上げた後、落下させる多数のリフト１４２が形成され、リフト１４２による洗濯物１の流動によって洗濯性能が向上することができる。
【００５１】
そして、ドラム１４０の前方または後方には、ドラム１４０の回転時に洗濯物１によるアンバランスを補償するためのバランサー１４５が設置される。ドラム１４０の後方には、駆動モータ１３０に連結される回転軸１４４及び回転軸に連結されるスパイダー１４３が設けられる。
【００５２】
前記空気供給装置１５０は、タブ１２０の上部に設けられ、衣類処理装置１００の乾燥行程時にタブ１２０内部の空気を循環及び加熱させる。すなわち、空気供給装置１５０は、タブ１２０内部の空気を引き出した後、加熱して、再びタブ１２０に流入させるように構成される。
【００５３】
このような、空気供給装置１５０は、タブ１２０の外周面の側面に形成される空気回収口１５１と、空気回収口１５１を介して空気を回収及び移動させるための送風ファン１５３と、送風ファン１５３によって移動される空気を加熱する加熱ダクト１５４と、加熱ダクト１５４で加熱された空気をタブ１２０に案内する空気吐出口１５６とを備える。
【００５４】
ここで、空気回収口１５１は、タブ１２０の外周面の側面を貫通して形成される。また、空気回収口１５１の内側面には、タブ１２０の外周面に沿って、洗濯物１の乾燥時に発生するリントをフィルタリングするためのリントフィルタ１６０が設けられる。
【００５５】
ここで、リントフィルタ１６０は、空気回収口１５１の内側に着脱可能に挿入されるように設けられる。そのために、リントフィルタ１６０は、空気回収口１５１の内部形状に対応し、空気が流動するための空間が形成されるフィルタフレーム１６１と、フィルタフレーム１６１の空気流動空間に設けられてリントをフィルタリングするためのフィルタ１６２とが設けられる。ここで、フィルタ１６２は、タブ１２０の内周面の形状である曲面形状に沿って延びるように所定の曲面を形成することが好ましい。
【００５６】
一方、フィルタ１６２の中央部には、フィルタ１６２の曲面に沿って延びる一つ以上のガイドリブ１６１ａがさらに形成されてもよい。ここで、ガイドリブ１６１ａは、フィルタ１６２の形状を維持すると同時に、フィルタ１６２に噴射される洗浄水がフィルタ１６２の曲面に沿って円滑に流れ得るように案内する役割を果たす。すなわち、ガイドリブ１６１ａとガイドリブ１６１ａが形成されるフィルタ１６２との間の角部に洗浄水が凝集し、凝集された洗浄水は、自重によってフィルタ１６２とガイドリブ１６１ａとの間の角部に沿ってフィルタ１６２の曲面の下方向に流れるようになる（図５参照）。
【００５７】
一方、空気回収口１５１のリントフィルタ１６０の上部には、リントフィルタ１６０にフィルタリングされたリントを除去するためのフィルタ洗浄部１７０が設けられる。フィルタ洗浄部１７０については様々な実施例が例示されるので、以降に詳細に説明する。
【００５８】
そして、送風ファン１５３は空気回収口１５１の上側に設けられる。送風ファン１５３の作動によってタブ１２０内部の空気が流入し、加熱ダクト１５４側に移動する。一方、加熱ダクト１５４は、送風ファン１５３により移動される空気を加熱して熱風を生成する。加熱ダクト１５４で加熱された空気は、空気吐出口１５６によりタブ１２０の内部に供給されて、洗濯物１を乾燥させる。
【００５９】
一方、上述したような空気供給装置１５０において、空気回収口１５１に流入する空気に含まれたリントをフィルタリングするリントフィルタ１６０は、長期間使用時に、フィルタリングされたリントを除去するメンテナンスが必要である。
【００６０】
そのために、空気回収口１５１の内側には、リントフィルタ１６０に向かって洗浄水を噴射することで、リントフィルタ１６０にフィルタリングされたリントを除去するフィルタ洗浄部１７０が設けられる。ここで、フィルタ洗浄部１７０は、洗濯のために洗濯水を供給する給水部１１３において別途の洗浄水バルブ（図示せず）により給水が制御される。
【００６１】
一方、フィルタ洗浄部１７０からフィルタの洗浄のためにリントフィルタ１６０に噴射される洗浄水は、リントフィルタ１６０によってフィルタリングされたリントを分離／除去すると同時に、リントフィルタ１６０の内周面に沿ってタブ１２０の内周面（即ち、凝縮面）に流れながら、タブ１２０の内周面を冷却する役割を果たす。
【００６２】
ここで、フィルタ洗浄水によりタブ１２０の内周面が冷却されることによって、タブ１２０の内部で洗濯物を乾燥させた空気に含まれた湿気が、タブ１２０の内面と接しながらタブ１２０の内周面で凝縮が起こりながら、相対的に乾燥した空気に変わるようになる。
【００６３】
一方、本願発明のタブ１２０の場合、タブ１２０の内部には高い温度の湿った空気が滞留するようになり、タブ１２０の外部にはタブ１２０の内部よりも相対的に低い温度の空気が滞留するようになる。したがって、上述したフィルタ洗浄部１７０から供給される洗浄水が供給されなくても、タブ１２０の内部と外部の温度差によってタブ１２０の内周面で凝縮が起こり得る。このような場合にも、従来技術に係る凝縮ダクトを用いる場合よりも相対的に凝縮量が多くなり得る。
【００６４】
すなわち、従来技術での凝縮ダクトの場合、タブ１２０の内周面より相対的に小さい面積で凝縮を誘導する。しかし、本願発明の場合のように、タブ１２０の内周面で凝縮を誘導する場合、凝縮のための冷却面が凝縮ダクトより相対的に増加する。したがって、凝縮ダクトを用いる従来技術に比べて相対的に多い凝縮面１２６を形成しているので、凝縮効率を増加させることができる。
【００６５】
一方、本発明の一実施例に係るフィルタ洗浄部１７０は、リントフィルタ１６０の外側から内側方向に所定圧力の洗浄水を噴射して、リントフィルタ１６０にフィルタリングされたリントをタブ１２０の内側に落すためのものである。また、上述したように、リントを除去した凝縮水がタブ１２０の内周面に流れるようにして、タブ１２０の内周面を冷却させるようにすることもできる。
【００６６】
このようなフィルタ洗浄部１７０は、洗浄水を供給するための洗浄水ライン１７１と、空気回収口１５１を貫通して空気回収口１５１の内側に固定されると同時に、空気回収口１５１の外側で洗浄水ライン１７１に連結される分配ノズル部とを備える。
【００６７】
ここで、フィルタ洗浄部１７０は、空気回収口１５１の外側方向（又はタブ１２０の外側方向）に設置されることが好ましい。すなわち、タブ１２０の外周面に垂直に形成される空気回収口１５１の場合、タブ１２０の中心に向かう面とタブ１２０の外側に向かう面との高さ／面積が異なるように形成され、タブ１２０の外側に向かう面の高さ／面積が、タブ１２０の中心に向かう面より相対的に高くて大きく形成される。したがって、フィルタ洗浄部１７０は、空気回収口１５１の外側方向（又はタブ１２０の外側方向）に設置されることが好ましい。しかし、フィルタ洗浄部１７０の位置を限定するものではなく、空気回収口１５１に設置空間が確保されれば、空気回収口１５１のいずれの面に設置されてもよい。
【００６８】
一方、本願発明では、フィルタ洗浄部の分配ノズル部に対して３つの実施例を説明する。以下、本発明の各実施例に係る空気回収口及びフィルタ洗浄部を、添付の図面を参照して分配ノズル部の実施例によって詳細に説明する。
【００６９】
まず、本発明の第１実施例に係る空気回収口及びフィルタ洗浄部を説明する。以下で言及されるそれぞれの要素は、上述した説明と図面を参照して理解しなければならない。また、上述した構成と重複する構成の場合、詳細な説明は省略する。
【００７０】
図４は、本発明に係る空気回収口及びフィルタ洗浄部の第１実施例を示す側断面図であり、図５は、本発明に係る空気回収口及びフィルタ洗浄部の第１実施例を示す平面図である。
【００７１】
図４及び図５に示すように、本発明の第１実施例に係るフィルタ洗浄部は、タブ１２０の外周面に設けられる空気回収口１５１の内側には、洗濯物の乾燥のために熱風を供給及び循環させるときに発生するリントをフィルタリングするためのリントフィルタ１６０と、リントフィルタ１６０を清掃するためのフィルタ洗浄部１７０とが備えられる。
【００７２】
本発明の実施例に係るフィルタ洗浄部１７０は、リントフィルタ１６０の外側から内側方向に洗浄水を噴射して、リントフィルタ１６０にフィルタリングされたリントをタブ１２０の内側に落すためのものである。
【００７３】
一方、フィルタ洗浄部１７０は、洗浄水を供給するための洗浄水ライン１７１と、洗浄水ライン１７１から供給される洗浄水を分配してリントフィルタ１６０に噴射する分配ノズル部２００とを備える。
【００７４】
ここで、洗浄水ライン１７１は、給水部１１３の洗濯水の給水と別途に設けられる洗浄水バルブ（図示せず）により、洗濯水の給水と別途に洗浄水を給水するように構成される。洗浄水ライン１７１の構成は様々な実施例が可能であるので、詳細な説明は省略する。
【００７５】
前記分配ノズル部２００は、空気回収口１５１の内側に固定されると同時に洗浄水ライン１７１と連結されて、洗浄水ライン１７１を介して洗浄水の供給を受け、リントフィルタ１６０のフィルタの上面に洗浄水を噴射するように設けられる。
【００７６】
このような分配ノズル部２００は、空気回収口１５１に着脱可能に固定されるための締結部２１０と、締結部２１０に結合されて空気回収口１５１の内側に延びる延長部２１４と、延長部２１４の端部に回転可能に結合され、延長部２１４を介して供給される洗浄水の方向をリントフィルタ１６０側に屈折させる屈折部２１５と、屈折部２１５の端部に回転可能に締結され、屈折部２１５を介して供給される洗浄水を分配する回動分配部２１６と、回動分配部２１６の両端に締結され、回動分配部２１６を介して供給される洗浄水をリントフィルタ１６０のフィルタ１６２の上面に噴射する第１、２ノズル部２１９ａ，２１９ｂとを備える。ここで、締結部２１０、延長部２１４、屈折部２１５、回動分配部２１６、第１、２ノズル部２１９ａ，２１９ｂには、洗浄水が移動するための中空が形成される。
【００７７】
一方、空気回収口１５１の一側には、分配ノズル部２００の締結部が結合されるための締結孔（図示せず）または締結溝（図示せず）が形成される。ここで、締結孔または締結溝の場合、分配ノズル部２００を着脱可能にするためのもので、分配ノズル部２００の締結部を固定するための係止段部、ねじ山などが形成されてもよい。このような締結孔または締結溝の締結構造は様々な実施例が可能であるので、詳細な説明は省略する。
【００７８】
ここで、締結部２１０は、空気回収口１５１の一側に着脱可能に結合される。このような締結部２１０は、洗浄水が通過するための中空を有する円筒状に形成される。締結部２１０の一端には、洗浄水ライン１７１が連結されるためのライン締結部２１１が形成される。締結部２１０の他端には、延長部２１４が連結される連結段部２１３が形成される。ライン締結部２１１と延長部２１４との間には、締結部２１０が空気回収口に結合されるときに空気回収口１５１に対して締結部２１０を支持する固定リブ２１２が円周面に沿って形成される。
【００７９】
そして、延長部２１４は、中空が形成される管形状に締結部２１０の連結段部２１３に結合されて、締結部２１０を介して供給される洗浄水を移動させる経路を形成する。このような延長部２１４は、連結段部２１３に結合されてリントフィルタ１６０の中央部側に延びる。ここで、延長部２１４は、リントフィルタ１６０の幅が最も広くなる中心を越えて延びることが好ましい。
【００８０】
そして、屈折部２１５は、中空が形成され、リントフィルタに向かって下方に折れ曲がるように形成される。このような屈折部２１５は、延長部２１４に対して回動可能に結合され、屈折部２１５が回動することによって、屈折部２１５の角度及び屈折部２１５に結合される回動分配部２１６の角度を調節することができる。すなわち、屈折部２１５は、延長部２１４を回転軸として垂直方向の回動半径を有するように回転可能に設けられる。
【００８１】
そして、回動分配部２１６は、中空が形成され、「逆Ｔ」字状に形成される。このような回動分配部２１６は、その中央に屈折部２１５に回動可能に結合される流入口が形成され、流入口の端部両側に第１、２ノズル部２１９ａ，２１９ｂがそれぞれ結合される一対の吐出口が対向する方向に形成される。一方、回動分配部２１６は、屈折部２１５の下向き折曲部分を回転軸として水平方向の回動半径を有するように回転可能に設けられる。
【００８２】
そして、第１、２ノズル部２１９ａ，２１９ｂは、中空が形成される円筒状に回動分配部２１６の両側の吐出口にそれぞれ締結される。このような第１、２ノズル部２１９ａ，２１９ｂはそれぞれ、一側は閉鎖され、他側は開放されるように形成される。
【００８３】
一方、第１、２ノズル部２１９ａ，２１９ｂには、リントフィルタ１６０のフィルタ１６２の上面に接線方向に洗浄水を噴射する多数の第１ノズル２２０ａが形成される（図６Ａ参照）。
【００８４】
ここで、第１ノズル２２０ａから噴射される洗浄水は、第１ノズル２２０ａから噴射される噴射角度とリントフィルタ１６０のフィルタ１６２の曲面及び傾斜によってフィルタ１６２の一定面積に噴射されることにより、フィルタ１６２にフィルタリングされたリントをフィルタ１６２から分離及び除去する。
【００８５】
一方、第１、２ノズル部２１９ａ，２１９ｂには、第１ノズル２２０ａから噴射される洗浄水が届かない領域（例えば、第１ノズル２２０ａによって噴射される領域の反対領域）に別途の洗浄水を噴射するために、第１ノズル２２０ａと異なる方向に洗浄水を噴射する第２ノズル２２０ｂをさらに備えることができる（図６Ｂ参照）。
【００８６】
ここで、第２ノズル２２０ｂから噴射される洗浄水は、第１ノズルと同様に、第２ノズル２２０ｂから噴射される噴射角度とリントフィルタ１６０のフィルタ１６２の曲面及び傾斜によってフィルタ１６２の一定面積に噴射されることにより、フィルタ１６２にフィルタリングされたリントをフィルタ１６２から分離及び除去する。
【００８７】
以下、上述したような本願発明の第１実施例に係るフィルタ洗浄部１７０の作用を説明する。
【００８８】
まず、本願発明の衣類処理装置１００の場合、洗濯行程、脱水行程または乾燥行程中にリントフィルタ１６０を清掃するためにフィルタ洗浄部１７０が作動を行うことができる。しかし、好ましくは、リントフィルタ１６０に最も多くのリントがフィルタリングされる乾燥行程中に行われることが好ましい。
【００８９】
一方、フィルタ洗浄部１７０の作動過程を説明すると、まず、フィルタ洗浄部１７０によるリントフィルタ１６０の洗浄が行われる場合、リントフィルタ１６０の洗浄のために洗浄水ライン１７１を介して洗浄水が供給され、洗浄水は、締結部２１０、延長部２１４、屈折部２１５、回動分配部２１６に形成された中空を通して第１、２ノズル部２１９ａ，２１９ｂに分配されて供給される。第１、２ノズル部２１９ａ，２１９ｂに供給された洗浄水は、第１、２ノズル部２１９ａ，２１９ｂに形成された第１ノズル２２０ａまたは／及び第２ノズル２２０ｂを通じて噴射されて、リントフィルタ１６０を洗浄する。
【００９０】
ここで、第１、２ノズル部２１９ａ，２１９ｂの場合、延長部２１４に結合された屈折部２１５の垂直方向の回転、及び屈折部２１５に結合された回動分配部２１６の水平方向の回転によって第１、２ノズル部２１９ａ，２１９ｂの噴射角度を調節することができる。
【００９１】
上述したようなフィルタ洗浄部１７０の分配ノズル部２００は、傾斜した曲面で形成されたリントフィルタ１６０の上側から下側に洗浄水を噴射するように備えられる。これによって、リントフィルタ１６０の上側に噴射される洗浄水は、リントフィルタ１６０に形成された曲面傾斜によりリントフィルタ１６０の下側へ円滑に流れることができる。すなわち、リントフィルタ１６０の設置形態が、一側が上方に傾くと共に、所定の曲面を有する形状となっているので、分配ノズル部２００がリントフィルタ１６０の上側から洗浄水を噴射することによって、噴射された洗浄水がリントフィルタ１６０のフィルタ１６２で凝集して、自重によってフィルタ１６２の傾斜曲面に沿ってリントフィルタ１６０の下側へ流れることができる。
【００９２】
一方、リントフィルタ１６０に噴射されてフィルタからリントを洗浄及び分離した洗浄水は、分離されたリントと共にタブ１２０の内周面に沿って流れて、タブ１２０の下面に形成された排水部１１５を介して衣類処理装置１００の外部に排出される。
【００９３】
ここで、タブ１２０の内周面に沿って流れる洗浄水は、タブ１２０の内面を冷却させながら排出される。したがって、洗浄水は、タブ１２０の内面を冷却することによって、タブ１２０の内面が凝縮面１２６の役割を果たすことができるようにする。
【００９４】
以下、本発明の第２実施例に係る空気回収口及びフィルタ洗浄部を説明する。以下で言及されるそれぞれの要素は、上述した説明と図面を参照して理解しなければならない。また、上述した構成と重複する構成の場合、詳細な説明は省略する。
【００９５】
図７は、本発明に係る空気回収口及びフィルタ洗浄部の第２実施例を示す側断面図であり、図８は、本発明に係る空気回収口及びフィルタ洗浄部の第２実施例を示す平面図である。
【００９６】
図７乃至図８に示すように、本発明の第２実施例に係るフィルタ洗浄部は、タブ１２０の外周面に設けられる空気回収口１５１の内側には、洗濯物の乾燥のために熱風を供給及び循環させるときに発生するリントをフィルタリングするためのリントフィルタ１６０と、リントフィルタ１６０を清掃するためのフィルタ洗浄部１７０とが備えられる。
【００９７】
本発明の実施例に係るフィルタ洗浄部１７０は、リントフィルタ１６０の外側から内側方向に洗浄水を噴射して、リントフィルタ１６０にフィルタリングされたリントをタブ１２０の内側に落とすためのものである。
【００９８】
一方、フィルタ洗浄部１７０は、洗浄水を供給するための洗浄水ライン１７１と、洗浄水ライン１７１から供給される洗浄水を分配してリントフィルタ１６０に噴射する分配ノズル部３００とを備える。
【００９９】
ここで、洗浄水ライン１７１は、給水部１１３の洗濯水の給水と別途に設けられる洗浄水バルブ（図示せず）により、洗濯水の給水と別途に洗浄水を給水するように構成される。洗浄水ライン１７１の構成は様々な実施例が可能であるので、詳細な説明は省略する。
【０１００】
前記分配ノズル部３００は、空気回収口１５１の内側に固定されると同時に洗浄水ライン１７１と連結されて、洗浄水ライン１７１を介して洗浄水の供給を受け、リントフィルタ１６０のフィルタの上面に洗浄水を噴射するように設けられる。
【０１０１】
このような分配ノズル部３００は、空気回収口１５１に着脱可能に固定されるための締結部３１０と、締結部３１０に結合されて空気回収口１５１の内側に延びる延長部３１４と、延長部３１４の端部に連通し、リントフィルタ１６０の内周面に沿って屈曲して延びてフィルタに洗浄水を噴射する傾斜ノズル部３１６とを備える。ここで、締結部３１０、延長部３１４、傾斜ノズル部３１６は、洗浄水が移動するための中空が形成される。
【０１０２】
一方、空気回収口１５１の一側には、分配ノズル部３００の締結部が結合されるための締結孔（図示せず）または締結溝（図示せず）が形成される。ここで、締結孔または締結溝の場合、分配ノズル部３００を着脱可能にするためのもので、分配ノズル部３００の締結部を固定するための係止段部、ねじ山などが形成されてもよい。このような締結孔または締結溝の締結構造は様々な実施例が可能であるので、詳細な説明は省略する。
【０１０３】
ここで、締結部３１０は、空気回収口１５１の一側に着脱可能に結合される。このような締結部３１０は、洗浄水が通過するための中空を有する円筒状に形成される。締結部３１０の一端には、洗浄水ライン１７１が連結されるためのライン締結部３１１が形成される。
【０１０４】
一方、締結部３１０の他端には、延長部３１４が連結される連結段部３１３が形成される。ライン締結部３１１と延長部３１４との間には、締結部３１０が空気回収口に結合されるときに空気回収口１５１に対して締結部３１０を支持する固定リブ３１２が円周面に沿って形成される。
【０１０５】
そして、延長部３１４は、中空が形成される管形状に締結部３１０の連結段部３１３に結合されて、締結部３１０を介して供給される洗浄水を移動させる経路を形成する。このような延長部３１４は、連結段部３１３に結合されて、リントフィルタ１６０の反対側に近接するように延びる。
【０１０６】
そして、傾斜ノズル部３１６は、リントフィルタ１６０の上面の外周面に沿って屈曲及び傾斜して延びる一対の第１、２傾斜部３１７，３１８が備えられる。ここで、第１、２傾斜部３１７，３１８は、リントフィルタ１６０の上面の外周面からフィルタの下方向または内側方向に洗浄水を噴射する多数のノズル（図示せず）を備える。
【０１０７】
ここで、ノズルから噴射される洗浄水は、ノズルから噴射される噴射角度とリントフィルタ１６０のフィルタ１６２の曲面及び傾斜によってフィルタ１６２の一定面積に噴射されることにより、フィルタ１６２にフィルタリングされたリントをフィルタ１６２から分離及び除去する。
【０１０８】
以下、上述したような本願発明の第２実施例に係るフィルタ洗浄部１７０の作用を説明する。
【０１０９】
まず、本願発明の衣類処理装置１００の場合、洗濯行程、脱水行程または乾燥行程中にリントフィルタ１６０を清掃するためにフィルタ洗浄部１７０が作動を行うことができる。しかし、好ましくは、リントフィルタ１６０に最も多くのリントがフィルタリングされる乾燥行程中に行われることが好ましい。
【０１１０】
一方、フィルタ洗浄部１７０の作動過程を説明すると、まず、フィルタ洗浄部１７０によるリントフィルタ１６０の洗浄が行われる場合、リントフィルタ１６０の洗浄のために洗浄水ライン１７１を介して洗浄水が供給され、洗浄水は、締結部３１０、延長部３１４、傾斜ノズル部３１６に形成された中空を通して第１、２傾斜部３１７，３１８に分配されて供給される。第１、２傾斜部３１７，３１８に供給された洗浄水は、第１、２傾斜部３１７，３１８に形成されたノズルを通じて噴射されて、リントフィルタ１６０を洗浄する。
【０１１１】
上述したようなフィルタ洗浄部１７０の分配ノズル３００は、傾斜した曲面で形成されるリントフィルタ１６０の上側から下側に洗浄水を噴射するように備えられる。これによって、リントフィルタ１６０の上側に噴射される洗浄水は、リントフィルタ１６０に形成された曲面傾斜によりリントフィルタ１６０の下側へ円滑に流れることができる。すなわち、リントフィルタ１６０の設置形態が、一側が上方に傾くと共に、所定の曲面を有する形状となっているので、分配ノズル３００がリントフィルタ１６０の上側から洗浄水を噴射することによって、噴射された洗浄水がリントフィルタ１６０のフィルタ１６２で凝集して、自重によってフィルタ１６２の傾斜曲面に沿ってリントフィルタ１６０の下側に流れることができる。
【０１１２】
一方、リントフィルタ１６０に噴射されてフィルタ１６２からリントを洗浄及び分離した洗浄水は、分離されたリントと共にタブ１２０の内周面に沿って流れて、タブ１２０の下面に形成された排水部１１５を介して衣類処理装置１００の外部に排出される。
【０１１３】
ここで、タブ１２０の内周面に沿って流れる洗浄水は、タブ１２０の内面を冷却させながら排出される。したがって、洗浄水は、タブ１２０の内面を冷却することによって、タブ１２０の内面が凝縮面１２６の役割を果たすことができるようにする。
【０１１４】
以下、本発明の第３実施例に係る空気回収口及びフィルタ洗浄部を説明する。以下で言及されるそれぞれの要素は、上述した説明と図面を参照して理解しなければならない。また、上述した構成と重複する構成の場合、詳細な説明は省略する。
【０１１５】
図９は、本発明に係る空気回収口及びフィルタ洗浄部の第３実施例を示す側断面図であり、図１０は、本発明に係る空気回収口及びフィルタ洗浄部の第３実施例を示す平面図である。
【０１１６】
図９及び図１０に示すように、本発明の第３実施例に係るフィルタ洗浄部は、タブ１２０の外周面に設けられる空気回収口１５１の内側には、洗濯物の乾燥のために熱風を供給及び循環させるときに発生するリントをフィルタリングするためのリントフィルタ１６０と、リントフィルタ１６０を清掃するためのフィルタ洗浄部１７０とが備えられる。
【０１１７】
本発明の実施例に係るフィルタ洗浄部１７０は、リントフィルタ１６０の外側から内側方向に洗浄水を噴射して、リントフィルタ１６０にフィルタリングされたリントをタブ１２０の内側に落とすためのものである。
【０１１８】
一方、フィルタ洗浄部１７０は、洗浄水を供給するための洗浄水ライン１７１と、洗浄水ライン１７１から供給される洗浄水を分配してリントフィルタ１６０に噴射する分配ノズル部４００を備える。
【０１１９】
ここで、洗浄水ライン１７１は、給水部１１３の洗濯水の給水と別途に設けられる洗浄水バルブ（図示せず）により、洗濯水の給水と別途に洗浄水を給水するように構成される。洗浄水ライン１７１の構成は様々な実施例が可能であるので、詳細な説明は省略する。
【０１２０】
前記分配ノズル部４００は、空気回収口１５１の内側に固定されると同時に洗浄水ライン１７１と連結されて、洗浄水ライン１７１を介して洗浄水の供給を受け、リントフィルタ１６０のフィルタの上面に洗浄水を噴射するように設けられる。
【０１２１】
このような分配ノズル部４００は、空気回収口１５１に着脱可能に固定されるための締結部４１０と、締結部４１０に結合されて空気回収口１５１の内側に延びる延長部４１４と、延長部４１４の端部に連通し、リントフィルタ１６０の上側端部から下側方向に洗浄水を噴射するノズル部４１６とを備える。ここで、締結部４１０、延長部４１４、ノズル部４１６は、洗浄水が移動するための中空が形成される。
【０１２２】
一方、空気回収口１５１の一側には、分配ノズル部４００の締結部が結合されるための締結孔（図示せず）または締結溝（図示せず）が形成される。ここで、締結孔または締結溝の場合、分配ノズル部４００を着脱可能にするためのもので、分配ノズル部４００の締結部を固定するための係止段部、ねじ山などが形成されてもよい。このような締結孔または締結溝の締結構造は様々な実施例が可能であるので、詳細な説明は省略する。
【０１２３】
ここで、締結部４１０は、空気回収口１５１の一側に着脱可能に結合される。このような締結部４１０は、洗浄水が通過するための中空を有する円筒状に形成される。締結部４１０の一端には、洗浄水ライン１７１が連結されるためのライン締結部４１１が形成される。締結部４１０の他端には、延長部４１４が連結される連結段部４１３が形成される。ライン締結部４１１と延長部４１４との間には、締結部４１０が空気回収口に結合されるときに空気回収口１５１に対して締結部４１０を支持する固定リブ４１２が円周面に沿って形成される。
【０１２４】
そして、延長部４１４は、中空が形成される管形状に締結部４１０の連結段部４１３に結合されて、締結部４１０を介して供給される洗浄水を移動させる経路を形成する。このような延長部４１４は、連結段部４１３に結合されてリントフィルタ１６０の上側（即ち、締結部の反対側に近接した位置）に近接するように延びる。
【０１２５】
そして、ノズル部４１６は、延長部４１４の端部に連通するように結合されると、延長部４１４の端部から、リントフィルタ１６０の上部と平行に延長部４１４の両側に延びる。このとき、ノズル部４１６は、空気回収口１５１の内周面によって、上述した第１実施例の第１、２ノズル部２１９ａ，２１９ｂよりは短く延びる。
【０１２６】
ここで、ノズル部４１６は、リントフィルタ１６０の上側からフィルタ１６２の下方向に洗浄水を噴射する多数のノズル（図示せず）を備える。一方、ノズル部４１６の場合、空気回収口１５１の上部に位置するため、リントフィルタ１６０の幅より多少短い長さに形成されるしかない。これによって、ノズル部４１６に形成される多数のノズルの場合、ノズル部４１６の中央を基準として外側に形成されるほど、リントフィルタ１６０の外郭部に洗浄水を噴射するように斜めに形成され得る。
【０１２７】
ここで、ノズルから噴射される洗浄水は、ノズルから噴射される噴射角度とリントフィルタ１６０のフィルタ１６２の曲面及び傾斜によってフィルタ１６２の一定面積に噴射されることにより、フィルタ１６２にフィルタリングされたリントをフィルタ１６２から分離及び除去する。
【０１２８】
以下、上述したような本願発明の第３実施例に係るフィルタ洗浄部１７０の作用を説明する。
【０１２９】
まず、本願発明の衣類処理装置１００の場合、洗濯行程、脱水行程または乾燥行程中にリントフィルタ１６０を清掃するためにフィルタ洗浄部１７０が作動を行うことができる。しかし、好ましくは、リントフィルタ１６０に最も多くのリントがフィルタリングされる乾燥行程中に行われることが好ましい。
【０１３０】
一方、フィルタ洗浄部１７０の作動過程を説明すると、まず、フィルタ洗浄部１７０によるリントフィルタ１６０の洗浄が行われる場合、リントフィルタ１６０の洗浄のために洗浄水ライン１７１を介して洗浄水が供給され、洗浄水は、締結部４１０、延長部４１４、ノズル部４１６に形成された中空を通してノズルから噴射される。ノズルから噴射される洗濯水は、ノズルによってリントフィルタ１６０に噴射されて、リントフィルタ１６０にフィルタリングされたリントを分離及び洗浄する。
【０１３１】
上述したようなフィルタ洗浄部１７０の分配ノズル４００は、傾斜した曲面で形成されるリントフィルタ１６０の上側から下側に洗浄水を噴射するように備えられる。これによって、リントフィルタ１６０の上側に噴射される洗浄水は、リントフィルタ１６０に形成された曲面傾斜によりリントフィルタ１６０の下側へ円滑に流れることができる。すなわち、リントフィルタ１６０の設置形態が、一側が上方に傾くと共に、所定の曲面を有する形状となっていえるので、分配ノズル４００がリントフィルタ１６０の上側から洗浄水を噴射することによって、噴射された洗浄水がリントフィルタ１６０のフィルタ１６２で凝集して、自重によってフィルタ１６２の傾斜曲面に沿ってリントフィルタ１６０の下側に流れることができる。
【０１３２】
一方、リントフィルタ１６０に噴射されてフィルタからリントを洗浄及び分離した洗浄水は、分離されたリントと共にタブ１２０の内周面に沿って流れ、タブ１２０の下面に形成された排水部１１５を介して衣類処理装置１００の外部に排出される。
【０１３３】
ここで、タブ１２０の内周面に沿って流れる洗浄水は、タブ１２０の内面を冷却させながら排出される。したがって、洗浄水は、タブ１２０の内面を冷却することによって、タブ１２０の内面が凝縮面１２６の役割を果たすことができるようにする。
【０１３４】
一方、上述した各実施例のフィルタ洗浄部１７０の場合、空気回収口１５１の内側に設けられて、タブ１２０の内側方向に洗浄水を噴射してリントフィルタ１６０を洗浄するようにする。このような場合、噴射されるほとんどの洗浄水がリントフィルタ１６０の接線方向に噴射されて、洗浄水のほとんどはリントフィルタ１６０の下側に流れるが、一部の洗浄水が、リントフィルタ１６０を通過してタブ１２０の内側に落下して流入する場合が発生し得る。そのため、リントフィルタ１６０のリントの除去のために噴射される洗浄水がタブ１２０に直接的に落下して流入することを防止する構造が必要とされ得る。
【０１３５】
以下、添付の図面を参照して、リントフィルタ１６０の他の実施例を説明する。図１１は、本発明に係る空気回収口のリントフィルタの他の実施例を示す断面斜視図である。
【０１３６】
図１１に示すように、空気回収口１５１の内側にはリントフィルタ１６０が設置され、リントフィルタ１６０の上部にはフィルタ洗浄部１７０が設けられる。フィルタ洗浄部１７０は、リントフィルタ１６０の洗浄のためにリントフィルタの接線方向に洗浄水を噴射する。
【０１３７】
ここで、リントフィルタの構造を説明すると、リントフィルタ１６０は、空気回収口１５１の内側に着脱可能に挿入されるように設けられる。そのために、リントフィルタ１６０は、空気回収口１５１の内部形状に対応し、空気が流動するための空間が形成されるフィルタフレーム１６１と、フィルタフレーム１６１の空気流動空間に設けられて、リントをフィルタリングするためのフィルタ１６２とが設けられる。ここで、フィルタ１６２は、タブ１２０の内周面の形状である曲面形状に沿って延びるように所定の曲面を形成することが好ましい。
【０１３８】
一方、フィルタフレーム１６１の所定部（好ましくは、リントフィルタ１６０とフィルタ洗浄部１７０から噴射される洗浄水との間の角度が、リントフィルタ１６０面の接線角を過度に外れる）には、フィルタ１６２の一部分を遮蔽することで、フィルタ洗浄部１７０から噴射される洗浄水が直接的に流入することを防止する反射板１６３が形成される。このような反射板１６３は、フィルタフレーム１６１と一体に形成されることが好ましい。
【０１３９】
これによって、リントフィルタ１６０とフィルタ洗浄部１７０から噴射される洗浄水との間の角度が、リントフィルタ１６０面の接線角を過度に外れる領域に噴射される洗浄水は、反射板１６３によってフィルタを通過することができず、フィルタ１６２に沿ってリントフィルタ１６０の下側に流れるので、洗浄水がタブ１２０の内部に落下することを防止することができる。
【０１４０】
以上説明したように、本発明の好ましい実施例について詳細に記述されたが、本発明の属する技術分野における通常の知識を有する者であれば、添付の請求範囲に定義された本発明の精神及び範囲を逸脱しない範囲で本発明を多様に変形して実施できるであろう。したがって、本発明の今後の実施例の変更は、本発明の技術を逸脱できないであろう。
【図１】
0006006339.tif 000002
【図２】
0006006339.tif 000003
【図３】
0006006339.tif 000004
【図４】
0006006339.tif 000005
【図５】
0006006339.tif 000006
【図６ａ】
0006006339.tif 000007
【図６ｂ】
0006006339.tif 000008
【図７】
0006006339.tif 000009
【図８】
0006006339.tif 000010
【図９】
0006006339.tif 000011
【図１０】
0006006339.tif 000012
【図１１】
0006006339.tif 000013